(57)【特許請求の範囲】
【請求項１】
四方を囲んでロ字状をなした壁部、及びこの壁部で囲まれた一面側に開放部を有する枠体と、この枠体内に配置された回路基板と、この回路基板に取り付けられ、前記壁部に設けられた切り欠き部から突出する端子と、前記開放部を覆った状態で、前記枠体を挟持して前記枠体に取り付けられたカバーとを備え、前記切り欠き部は、第１の前記壁部の前記開放部側に設けられ、前記カバーは、前記開放部を覆う覆い部と、突出する前記端子側に位置する前記回路基板の厚み端面に弾接する第１の弾性片と、前記切り欠き部を設けた前記第１の壁部に対向する第２の前記壁部に弾接する第２の弾性片とを有し、前記覆い部が前記開放部を覆った状態で、前記第１の弾性片が前記厚み端面に弾接すると共に前記第２の弾性片が前記第２の壁部に弾接して、前記第１の弾性片によって、前記開放部と前記回路基板との間の前記切り欠き部を覆ったことを特徴とする高周波ユニット。
【請求項２】
前記回路基板は、前記切り欠き部から突出する凸条部を有し、前記第１の弾性片が前記凸条部の先端部に位置する前記厚み端面に弾接したことを特徴とする請求項１記載の高周波ユニット。
【請求項３】
前記第１の壁部には、前記回路基板の両側に位置した残存壁部を有すると共に、前記カバーは、前記第１の弾性片の両側に設けられた第３の弾性片を有し、この第３の弾性片が前記残存壁部に弾接したことを特徴とする請求項１、又は３記載の高周波ユニット。
【請求項４】
前記壁部には、前記弾性片が係止するリブを設けたことを特徴とする請求項１から３の何れか１項に記載の高周波ユニット。
【請求項５】
前記枠体は、互いに対向する前記壁部間に設けられた桟部を有することを特徴とする請求項１から４の何れか１項に記載の高周波ユニット。
【発明の詳細な説明】
【技術分野】
【０００１】
本発明は、テレビチューナ等に使用して好適な高周波ユニットに関するものである。
【背景技術】
【０００２】
従来の高周波ユニットの図面を説明すると、図８は従来の高周波ユニットに係り、カバーを取り去った状態を示す斜視図、図９は従来の高周波ユニットに係る底面図である。
【０００３】
次に、従来の高周波ユニットの構成を図８，図９に基づいて説明すると、枠体５１は、四方を囲んでロ字状をなした第１〜第４の壁部５２ａ〜５２ｄと、この第１〜第４の壁部５２ａ〜５２ｄで囲まれた一面側に設けられた開放部５３と、底壁である第１の壁部５２ａに設けられた切り欠き部５４と、第３，第４の壁部５２ｃ、５２ｄから突出する脚部５５を有する。
【０００４】
回路基板５６は、四角形の本体部５６ａと、この本体部５６ａの一辺から突出した凸条部５６ｂを有し、この回路基板５６には、ここでは図示しないが、配線パターンと、この配線パターンに接続された種々の電子部品が搭載されて、所望の電気回路が形成されている。
【０００５】
そして、この回路基板５６の凸条部５６ｂの近傍には、電気回路に接続された複数の端子５７が取り付けられ、この端子５７は、凸条部５６ｂから外方に突出した状態となっている。
【０００６】
このような構成を有する回路基板５６は、本体部５６ａが枠体５１内に収納された状態で枠体５１に取り付けられると共に、凸条部５６ｂと端子５７が切り欠き部５３から突出している。
【０００７】
また、図９に示すように、この枠体５１には、開放部５３を覆うカバー５８が設けられ、このカバー５８は、開放部５３を覆う覆い部５８ａと、第１の壁部５２ａに弾接する第１の弾性片５８ｂと、ここのでは図示しないが、第１の弾性片５８ｂに対向して設けられ、第２の壁部５２ｂに弾接する第２の弾性片を有する。
【０００８】
このカバー５８は、覆い部５８ａが開放部５３を覆った状態で、第１の弾性片５８ｂが第１の壁部５２に、また、第２の弾性片が第２の壁部に弾接して、第１の弾性片５８ｂと第２の弾性片とで枠体５１を挟持して取り付けられており、カバー５８が枠体５１に取り付けられた際、開放部５３と回路基板５６との間に位置する切り欠き部５４の一部Ａが開放された状態となって、従来の高周波ユニットが形成されている（例えば、特許文献１参照）。
【０００９】
このような構成を有する従来の高周波ユニットは、ここでは図示しないが、脚部５５と端子５７がセット側のマザー基板に挿入されて、マザー基板側の電気回路に接続されるようになっている。
【特許文献１】特開平７ー３１２４８５号公報
【発明の開示】
【発明が解決しようとする課題】
【００１０】
しかし、従来の高周波ユニットにあっては、カバー５８が枠体５１に取り付けられた際、切り欠き部５４の一部Ａが開放状態となっているため、この切り欠き部５４の一部Ａから外部ノイズが枠体５１内の飛び込んで、性能が悪くなる上に、切り欠き部５４に位置する第１の弾性片５８ｂは、宙に浮いた状態となって、第２の弾性片側との間の挟持力が作用せず、このため、第２の弾性片による第２の壁５２ｂへの接触が弱くなって、接触不安定になるという問題がある。
【００１１】
本発明は、このような従来技術の実情に鑑みてなされたもので、その目的は、性能が良く、カバーの接触が安定した高周波ユニットを提供することにある。
【課題を解決するための手段】
【００１２】
上記の目的を達成するために、本発明は、四方を囲んでロ字状をなした壁部、及びこの壁部で囲まれた一面側に開放部を有する枠体と、この枠体内に配置された回路基板と、この回路基板に取り付けられ、壁部に設けられた切り欠き部から突出する端子と、開放部を覆った状態で、枠体を挟持して枠体に取り付けられたカバーとを備え、切り欠き部は、第１の壁部の開放部側に設けられ、カバーは、開放部を覆う覆い部と、突出する端子側に位置する回路基板の厚み端面に弾接する第１の弾性片と、切り欠き部を設けた第１の壁部に対向する第２の壁部に弾接する第２の弾性片とを有し、覆い部が開放部を覆った状態で、第１の弾性片が厚み端面に弾接すると共に第２の弾性片が第２の壁部に弾接して、第１の弾性片によって、開放部と回路基板との間の切り欠き部を覆ったことを特徴としている。
【００１３】
このように構成した本発明は、カバーの第１の弾性片が回路基板の厚み端面に弾接して、第１の弾性片によって、枠体の開放部と回路基板との間の切り欠き部を覆ったため、枠体内への外部ノイズの飛び込みを少なくできて、性能の良好なものが得られると共に、第１の弾性片が回路基板の厚み端面に弾接することによって、第１，第２の弾性片の挟持力が増大し、第２の壁部への第２の弾性片の接触の安定したものが得られる。
【００１４】
また、本発明は、上記発明において、回路基板は、切り欠き部から突出する凸条部を有し、第１の弾性片が凸条部の先端部に位置する厚み端面に弾接したことを特徴としている。
【００１５】
このように構成した本発明は、凸条部の存在によって、端子の支持が良好になると共に、第１の弾性片に大きな挟持力が作用して、第２の壁部への第２の弾性片の接触の安定したものが得られる。
【００１６】
また、本発明は、上記発明において、第１の壁部には、回路基板の両側に位置した残存壁部を有すると共に、カバーは、第１の弾性片の両側に設けられた第３の弾性片を有し、この第３の弾性片が残存壁部に弾接したことを特徴としている。
【００１７】
このように構成した本発明は、残存壁部に存在によって、第１の壁部側でのカバーの接地の良好なものが得られる。
【００１８】
また、本発明は、上記発明において、壁部には、弾性片が係止するリブを設けたことを特徴としている。
【００１９】
このように構成した本発明は、リブの存在によって、カバーの抜け止めと、壁部へのカバーの接触の安定したものが得られる。
【００２０】
また、本発明は、上記発明において、枠体は、互いに対向する壁部間に設けられた桟部を有することを特徴としている。
【００２１】
このように構成した本発明は、桟部の存在によって、枠体の変形を少なくできて、枠体へのカバーの接触の安定したものが得られる。
【発明の効果】
【００２２】
本発明は、カバーの第１の弾性片が回路基板の厚み端面に弾接して、第１の弾性片によって、枠体の開放部と回路基板との間の切り欠き部を覆ったため、枠体内への外部ノイズの飛び込みを少なくできて、性能の良好なものが得られると共に、第１の弾性片が回路基板の厚み端面に弾接することによって、第１，第２の弾性片の挟持力が増大し、第２の壁部への第２の弾性片の接触の安定したものが得られる。
【発明を実施するための最良の形態】
【００２３】
発明の実施の形態について図面を参照して説明すると、図１は本発明の高周波ユニットに係る正面図、図２は本発明の高周波ユニットに係り、カバーを取り去った状態を示す正面図、図３は本発明の高周波ユニットに係る裏面図、図４は本発明の高周波ユニットに係り、カバーを取り去った状態を示す裏面図、図５は本発明の高周波ユニットに係る下面図、図６は本発明の高周波ユニットに係り、カバーを取り去った状態を示す下面図、図７は本発明の高周波ユニットに係る要部断面図である。
【００２４】
次に、本発明の高周波ユニットに係る構成を図１〜図７に基づいて説明すると、金属板からなる枠体１は、四方を囲んでロ字状をなした第１〜第４の壁部２ａ〜２ｄと、この第１〜第４の壁部２ａ〜２ｄで囲まれた両面側に設けられた開放部３ａ、３ｂと、開放部３ａ側で、底壁である第１の壁部２ａに設けられた切り欠き部４を有する。
【００２５】
また、枠体１は、切り欠き部４の両側に位置する第１の壁部２ａの残存壁部２ｅと、互いに対向する第１，第２の２ａ、２ｂ間に設けられたシールド板等からなる桟部５と、第３，第４の壁部２ｃ、２ｄから下方に突出する脚部６と、開放部３ａ側に設けられた複数の削除部７を有する。
【００２６】
回路基板８は、四角形の本体部９と、この本体部８の一辺から突出した凸条部１０と、本体部９から突出した複数の突部１１を有し、この回路基板８には、信号用パターンや接地用パターンからなる配線パターン１２が設けられている。
【００２７】
そして、配線パターン１２が設けられた回路基板８側には、図２に示すように、チップ型の電子部品１３が搭載されると共に、その反対側の回路基板８側には、図４に示すように、コイル等のディスクリート部品からなる電子部品１４が配線パターン１２に接続されて、所望の電気回路が形成されている。
【００２８】
端子部材１５は、絶縁材からなる四角柱状の保持部１６と、複数が一列に並設された状態で保持部１６に取り付けられたＬ字状の端子１７とで構成され、この端子部材１５は、保持部１６がディスクリート部品の電子部品１３を配置した側の凸条部１０上に配置された状態で、端子１７の一端が回路基板８を貫通して配線パターン１２に接続されると共に、端子１７の他端が凸条部１０外に突出して、回路基板８に取り付けられている。
【００２９】
このような構成を有する回路基板８は、本体部８が枠体１内に収納された状態で枠体１に取り付けられると共に、凸条部１０と端子１７が切り欠き部４から突出して、端子１７が脚部６と同方向（下方）に突出している。
【００３０】
この時、回路基板８の両側には、残存壁部２ｅが位置した状態になり、また、保持部１６は、切り欠き部４の縁部に当接すると共に、突部１１は、削除部７を通って外部に突出し、この突部１１に設けられた接地用の配線パターン１２は、枠体１に設けられた突片１ａに接続されている。
【００３１】
金属板からなる第１のカバー１８は、開放部３ａ側を覆う覆い部１８ａと、この覆い部１８ａの一辺から折り曲げ形成された第１の弾性片１８ｂと、この第１の弾性片１８ｂに対向した状態で、覆い部１８ａの他辺から折り曲げ形成された第２の弾性片１８ｃと、第１の弾性片１８ｂの両側に設けられた第３の弾性片１８ｄと、第１，第２の弾性片１８ｂ、１８ｃに対して、覆い部１８ａの直角の辺から折り曲げ形成された第４，第５の弾性片１８ｅ，１８ｆを有する。
【００３２】
このような第１のカバー１８は、特に図７に示すように、覆い部１８ａが開放部３ａを覆った状態で、第１の弾性片１８ｂが凸条部１０の先端部に位置する回路基板８の厚み端面に弾接して、この第１の弾性片１８ｂによって、開放部３ａと回路基板８との間の切り欠き部４を覆った状態となっている。
【００３３】
また、第１のカバー１８の第２の弾性片１８ｃは、第２の壁部２ｂに弾接すると共に、第１，第２の弾性片１８ｂ、１８ｃの挟持力によって、第２の弾性片１８ｃが第２の壁部２ｂに強く接触し、且つ、この第２の弾性片１８ｃは、枠体１に設けられたリブ１ｂに係止されて保持されている。
【００３４】
更に、第１のカバー１８の第３の弾性片１８ｄは、残存壁部２ｅに弾接すると共に、第４，第５の弾性片１８ｅ，１８ｆがそれぞれ第３，第４の壁部２ｃ、２ｄに弾接、挟持し、且つ、リブ１ｂに係止されて保持されている。
【００３５】
金属板からなる第２のカバー１９は、開放部３ｂ側を覆う覆い部１９ａと、この覆い部１９ａの四辺から折り曲げ形成された第１〜第４の弾性片１９ｂ〜１９ｅを有する。
【００３６】
このような第２のカバー１９は、特に図７に示すように、覆い部１９ａが開放部３ｂを覆った状態で、第１，第２の弾性片１９ｂ、１９ｃのそれぞれが第１，第２の壁部２ａ、２ｂに弾接、挟持し、且つ、リブ１ｂに係止されて保持されると共に、第３，第４の弾性片１９ｄ、１９ｅのそれぞれが第３，第４の壁部２ｃ、２ｄに弾接、挟持し、且つ、リブ１ｂに係止されて保持されて、本発明の高周波ユニットが形成されている。
【００３７】
このような構成を有する本発明の高周波ユニットは、ここでは図示しないが、脚部６と端子１７がセット側のマザー基板に挿入されて、マザー基板側の電気回路に接続されるようになっている。
【００３８】
なお、上記実施例では、第１，第２のカバー１８，１９を用いたもので説明したが、第２のカバー１９側の開放部３ｂを枠体１によって覆って、第２のカバー１９を無くしたものでも良い。
【図面の簡単な説明】
【００３９】
【図１】本発明の高周波ユニットに係る正面図である。
【図２】本発明の高周波ユニットに係り、カバーを取り去った状態を示す正面図である。
【図３】本発明の高周波ユニットに係る裏面図である。
【図４】本発明の高周波ユニットに係り、カバーを取り去った状態を示す裏面図である。
【図５】本発明の高周波ユニットに係る下面図である。
【図６】本発明の高周波ユニットに係り、カバーを取り去った状態を示す下面図である。
【図７】本発明の高周波ユニットに係る要部断面図である。
【図８】従来の高周波ユニットに係り、カバーを取り去った状態を示す斜視図である。
【図９】従来の高周波ユニットに係る底面図である。
【符号の説明】
【００４０】
１  枠体
１ａ  突片
１ｂ  リブ
２ａ  第１の壁部
２ｂ  第２の壁部
２ｃ  第３の壁部
２ｄ  第４の壁部
３ａ，３ｂ  開放部
４  切り欠き部
５  桟部
６  脚部
７  削除部
８  回路基板
９  本体部
１０  凸条部
１１  突部
１２  配線パターン
１３  電子部品
１４  電子部品
１５  端子部材
１６  保持部
１７  端子
１８  第１のカバー
１８ａ  覆い部
１８ｂ  第１の弾性片
１８ｃ  第２の弾性片
１８ｄ  第３の弾性片
１８ｅ  第４の弾性片
１８ｆ  第５の弾性片
１９  第２のカバー
１９ａ  覆い部
１９ｂ  第１の弾性片
１９ｃ  第２の弾性片
１９ｄ  第３の弾性片
１９ｅ  第４の弾性片
【図１】
0004787626.tif 000002
【図２】
0004787626.tif 000003
【図３】
0004787626.tif 000004
【図４】
0004787626.tif 000005
【図５】
0004787626.tif 000006
【図６】
0004787626.tif 000007
【図７】
0004787626.tif 000008
【図８】
0004787626.tif 000009
【図９】
0004787626.tif 000010